(57)【要約】【課題】チェーンの経時的変化に対して自動的に緊張状態を維持することができる部品点数の少ない簡単な構造のチェーンテンショナ装置を安価に供する。【解決手段】テンショナスリッパ11は基端部が枢支され揺動してチェーン５を押圧し、テンショナスリッパ11のチェーン５と反対側に規制部材21が固定され、テンショナスリッパ11と規制部材21は、互いの対向面11ａ，21ａがテンショナスリッパ11の揺動中心方向に向かって漸次狭小に構成され、テンショナスリッパ11と規制部材21との間に介挿部材15が挟まれ、介挿部材15は、スプリング25によりテンショナスリッパ11の揺動中心24側に付勢されるチェーンテンショナ装置。【選択図】図１
2008039097.tif 000002
【特許請求の範囲】
【請求項１】
スプロケット間に架渡されたチェーンの側面にテンショナスリッパを押圧してチェーンの緊張を維持するチェーンテンショナ装置において、
前記テンショナスリッパは基端部が枢支され揺動してチェーンを押圧し、
前記テンショナスリッパの前記チェーンと反対側に規制部材が固定され、
前記テンショナスリッパと前記規制部材は、互いの対向面が前記テンショナスリッパの揺動中心方向に向かって漸次狭小に構成され、
前記テンショナスリッパと前記規制部材との間に介挿部材が挟まれ、
前記介挿部材は、スプリングにより前記テンショナスリッパの揺動中心側に付勢されることを特徴とするチェーンテンショナ装置。
【請求項２】
前記介挿部材はローラであり、
前記テンショナスリッパの前記ローラが接触する接触面が凹面をなし、
前記規制部材の前記ローラが接触する接触面が平面をなすことを特徴とする請求項１記載のチェーンテンショナ装置。
【請求項３】
前記スプリングは、前記ローラを前記テンショナスリッパの揺動中心側で、同テンショナスリッパ側に偏った方向に付勢することを特徴とする請求項２記載のチェーンテンショナ装置。
【請求項４】
前記テンショナスリッパの凹面をなすローラの接触面は、トロコイド曲面を構成することを特徴とする請求項２または請求項３記載のチェーンテンショナ装置。
【請求項５】
前記テンショナスリッパの前記介挿部材が接触する接触面の両側および前記規制部材の前記介挿部材が接触する接触面の両側の少なくとも一方にガイド部を突出させたことを特徴とする請求項１から請求項４までのいずれかの項記載のチェーンテンショナ装置。
【発明の詳細な説明】
【技術分野】
【０００１】
本発明は、スプロケット間に架渡されたチェーンの張力を維持する機械式のチェーンテンショナ装置に関する。
【背景技術】
【０００２】
チェーンテンショナ装置は、チェーンの側面にテンショナスリッパを当接し、チェーンの張力に抗して押圧して、チェーンを常時適切な緊張状態に維持して円滑な動力伝達を行わせるものである。
【０００３】
したがって、チェーンが経時的に伸びても弛緩させないようにテンショナスリッパがチェーン側に進行してチェーンの緊張を保つようにするとともに、一度テンショナスリッパが進行したら、簡単には後退しないようにしてチェーンの振れを抑制する必要がある。
【０００４】
このようなチェーンテンショナ装置で、機械式の簡単な構造のものを企図したものに、特許文献１に開示された装置がある。
【特許文献１】実開昭５５−１２７１４９号公報
【０００５】
同特許文献１に記載された考案は、「カムをスプロケット軸と平行な軸で枢動自在に支持し、カムに設けた弧状のガイド孔に上記軸と平行な止杆を係合せしめてこれにナット等の止め部材を取り付けてカムを固定し得る如くし、且つカムをチェン緊張方向に弾圧するようにしたことを特徴とするチェン緊張装置。」に係る。
【０００６】
チェーンが弛緩したときは、ナットを緩めることで、カムがチェーン緊張方向に弾圧するので、ナットを締め、カムを固定するものである。
【発明の開示】
【発明が解決しようとする課題】
【０００７】
このように、特許文献１に記載されたものは、テンショナスリッパに相当するカムは、進行してチェーンを緊張させた後は固定されるので、後退することはないが、チェーンが弛緩したときに自動的にカムが進行してチェーンの緊張状態を保つことはできない。
【０００８】
したがって、常に監視していなければならず、チェーンがケース内に内蔵されるものであると、チェーンの弛緩を発見し難い。
また、カムを固定する止杆やナット等の部材を必要として部品点数が多く、コスト高となる。
【０００９】
本発明は、かかる点に鑑みなされたもので、その目的とする処は、チェーンの経時的変化に対して自動的に緊張状態を維持することができる部品点数の少ない簡単な構造のチェーンテンショナ装置を安価に供する点にある。
【課題を解決するための手段】
【００１０】
上記目的を達成するために、請求項１記載の発明は、スプロケット間に架渡されたチェーンの側面にテンショナスリッパを押圧してチェーンの緊張を維持するチェーンテンショナ装置において、前記テンショナスリッパは基端部が枢支され揺動してチェーンを押圧し、前記テンショナスリッパの前記チェーンと反対側に規制部材が固定され、前記テンショナスリッパと前記規制部材は、互いの対向面が前記テンショナスリッパの揺動中心方向に向かって漸次狭小に構成され、前記テンショナスリッパと前記規制部材との間に介挿部材が挟まれ、前記介挿部材は、スプリングにより前記テンショナスリッパの揺動中心側に付勢されるチェーンテンショナ装置とした。
【００１１】
請求項２記載の発明は、請求項１記載のチェーンテンショナ装置において、前記介挿部材はローラであり、前記テンショナスリッパの前記ローラが接触する接触面が凹面をなし、前記規制部材の前記ローラが接触する接触面が平面をなすことを特徴とする。
【００１２】
請求項３記載の発明は、請求項２記載のチェーンテンショナ装置において、前記スプリングは、前記ローラを前記テンショナスリッパの揺動中心側で、同テンショナスリッパ側に偏った方向に付勢することを特徴とする。
【００１３】
請求項４記載の発明は、請求項２または請求項３記載のチェーンテンショナ装置において、前記テンショナスリッパの凹面をなすローラの接触面は、トロコイド曲面を構成することを特徴とする。
【００１４】
請求項５記載の発明は、請求項１から請求項４までのいずれかの項記載のチェーンテンショナ装置において、前記テンショナスリッパの前記介挿部材が接触する接触面の両側および前記規制部材の前記介挿部材が接触する接触面の両側の少なくとも一方にガイド部を突出させたことを特徴とする。
【発明の効果】
【００１５】
請求項１記載のチェーンテンショナ装置によれば、チェーンを押圧するテンショナスリッパと規制部材の漸次狭小に構成された対向面に挟まれた介挿部材がスプリングによりテンショナスリッパの揺動中心側に付勢されているので、チェーンが経時的に伸張すると、テンショナスリッパと規制部材の漸次狭小に構成された対向面間に介挿部材が食い込むようにテンショナスリッパを揺動しながら移動して、テンショナスリッパをチェーン緊張方向に進行させ、自動的に伸張したチェーンを押圧してチェーンの緊張状態を維持することができる。
【００１６】
テンショナスリッパと規制部材の間に食い込んだ介挿部材は抜け方向には摩擦が大きく、進行したテンショナスリッパが後退することはなく、チェーンの振れは抑制される。
テンショナスリッパを固定するような特別の手段を必要とせず、部品点数が少なく構造が簡単でコストの低減を図ることができる。
【００１７】
請求項２記載のチェーンテンショナ装置によれば、テンショナスリッパの凹面と規制部材の平面に介挿部材であるローラが挟まれるので、チェーンが弛緩しスプリングによりローラがテンショナスリッパを揺動しながら移動するときは、ローラは規制部材の平面よりテンショナスリッパの凹面の方がローラの接触摩擦が大きく、規制部材の平面を滑るようにしてテンショナスリッパの凹面を転動しテンショナスリッパを揺動させながら移動し、テンショナスリッパをチェーン緊張方向に容易に進行させてチェーンの緊張状態を維持でき、一旦進行したテンショナスリッパは後退し難い。
【００１８】
請求項３記載のチェーンテンショナ装置によれば、スプリングは、ローラをテンショナスリッパの揺動中心側で、同テンショナスリッパ側に偏った方向に付勢するので、ローラのテンショナスリッパの凹面への押圧が増してローラは凹面上を滑らずに転動し易くなる。
【００１９】
請求項４記載のチェーンテンショナ装置によれば、前記テンショナスリッパの凹面が、トロコイド曲面を構成することで、ローラはテンショナスリッパの凹面上を益々転動し易くなり、テンショナスリッパをチェーン緊張方向に容易に揺動進行させ、また後退し難くすることができる。
【００２０】
請求項５記載のチェーンテンショナ装置によれば、テンショナスリッパの介挿部材の接触面の両側および規制部材の介挿部材の接触面の両側の少なくとも一方にガイド部を突出させたので、簡単な構造で介挿部材の移動を妨げることなく移動方向の両側へのずれを規制して外れないようにすることができる。
【発明を実施するための最良の形態】
【００２１】
以下、本発明に係る一実施の形態について図１ないし図３に基づいて説明する。
本実施の形態に係るチェーンテンショナ装置10は、内燃機関の動弁系に動力を伝達する動力伝達機構に適用されたもので、図１および図２では、機関ケースや周辺の機器等は省略している。
【００２２】
駆動軸１に嵌着されたドライブスプロケット３と被動軸２に嵌着されたドリブンスプロケット４との間にチェーン５が架渡されている。
チェーン５の側面に沿うようにテンショナスリッパ11が当接し、さらにその側方にローラ15を介して規制板21が固定されている。
【００２３】
規制板21は、長尺の平板であり、ローラ15の接触面21ａは平面であり、その接触面21ａの両端縁がローラ15側に突出してガイド片22，22を形成している（図３参照）。
規制板21の長尺方向の一端（図１，図２において下端）に、その両端縁から一対のブラケット23，23がチェーン５側に向けて突設されている。
【００２４】
この一対のブラケット23，23間に架設された枢軸24に、前記テンショナスリッパ11の基端が枢支されて揺動自在に支持されている。
テンショナスリッパ11は、チェーン５の側面に沿ってチェーン５側が凸面でローラ15側が凹面をなして湾曲している。
【００２５】
テンショナスリッパ11のローラ15側の凹面のうち、特にローラ15が接触する部分の接触面11ａは、トロコイド曲面をなしている。
該トロコイド曲面の曲線は、規制板21の平らな接触面21ａをローラ15が転動した場合のローラ15の外周面の一点が描く軌跡である。
【００２６】
テンショナスリッパ11と規制板21の対向する互いのローラ接触面11ａ，21ａは、テンショナスリッパ11の揺動中心である枢軸24の方向に向かって漸次狭小に構成されている。
この枢軸24の方向に向かって漸次狭小に構成されているローラ接触面11ａ，21ａ間にローラ15が挟まれている。
テンショナスリッパ11の接触面11ａの両端縁がローラ15側に突出してガイド片12，12を形成している（図３参照）。
【００２７】
ローラ15は、ローラ中心軸16の周りにベアリング17を介して回転自在に設けられた円筒状の樹脂製リングである（図３参照）。
ローラ中心軸16の両端にスプリング係止部16ａ，16ａが形成され、一方規制板21の一端に突設されたブラケット23，23の先端にスプリング係止部23ａ，23ａが形成され、引張スプリング25，25の一端がローラ中心軸16の両端のスプリング係止部16ａ，16ａに係止され、引張スプリング25，25の他端が一対のブラケット23，23の先端のスプリング係止部23ａ，23ａに係止される。
【００２８】
したがって、図１および図２に図示するように、ローラ15は、引張スプリング25，25によりテンショナスリッパ11の揺動中心である枢軸24側で、同テンショナスリッパ11側に偏った方向に付勢される。
よって、引張スプリング25，25によるローラ15への付勢力は、ローラ15をテンショナスリッパ11側に押える分力を有するが、規制板21側に押える分力は有しない。
【００２９】
本チェーンテンショナ装置10は、以上のように構成されており、固定された規制板21のローラ接触面21ａと枢軸24を中心に揺動自在のテンショナスリッパ11のローラ接触面11ａとが、枢軸24の方向に向かって漸次狭小に構成され、この漸次狭小に構成されたローラ接触面11ａ，21ａ間に引張スプリング25，25により枢軸24側に付勢されたローラ15が挟まれているので、ローラ15の食い込みによりテンショナスリッパ11はチェーン５側に揺動してチェーン５の側面を押圧しチェーン５に緊張状態を与え、振れ等のない安定したチェーン５の回動により動力伝達が円滑に行われる。
【００３０】
チェーン５が経時的に伸張すると、漸次狭小に構成されたローラ接触面11ａ，21ａ間に挟まれたローラ15は、引張スプリング25，25により枢軸24側で同テンショナスリッパ11側に偏った方向に付勢されて、前記しようにローラ15をテンショナスリッパ11側に押える分力を有してテンショナスリッパ11のトロコイド曲面を形成したローラ接触面11ａとの接触摩擦が大きく、逆にローラ15を押える分力を有しない規制板21側の平面であるローラ接触面21ａとの接触摩擦は小さく、よってローラ15は規制板21の平面であるローラ接触面21ａを滑りながらテンショナスリッパ11のトロコイド曲面を形成したローラ接触面11ａを転動して枢軸24側に容易に移動し、よって、テンショナスリッパ11をチェーン緊張方向に容易に揺動進行させ、自動的にチェーン５の緊張状態を維持することができる。
【００３１】
図２は、チェーン５が伸張してローラ15が規制板21とテンショナスリッパ11との間に、一層食い込んでテンショナスリッパ11がチェーン緊張方向に揺動進行し、チェーン５を押圧している状態を示している。
【００３２】
また、テンショナスリッパ11がチェーン緊張方向に一旦揺動進行すると、テンショナスリッパ11を後退させることは困難であり、よってチェーン５の振れ等を生じさせることなく、安定したチェーン５の回動を保つことができる。
【００３３】
テンショナスリッパ11のローラ接触面11ａの両側および規制部材21のローラ接触面21ａの両側にガイド片12，22を突出させたので、簡単な構造でローラ15の転動を妨げることなく移動方向の両側へローラ15のずれを規制して外れないようにしている。
【００３４】
以上のように、本チェーンテンショナ装置10は、テンショナスリッパ11を固定するような特別の手段を必要とせず、簡単な機械的構造をなし、部品点数が少なく、コストの低減を図ることができる。
【図面の簡単な説明】
【００３５】
【図１】本発明の一実施の形態に係るチェーンテンショナ装置とチェーン動力伝達機構を示した模式図である。
【図２】同チェーンテンショナ装置とチェーン動力伝達機構のチェーンが経時的に伸張したときの模式図である。
【図３】図１のIII−III線で切断した断面図である。
【符号の説明】
【００３６】
１…駆動軸、２…被動軸、３…ドライブスプロケット、４…ドリブンスプロケット、５…チェーン、
10…チェーンテンショナ装置、11…テンショナスリッパ、11ａ…ローラ接触面、12…ガイド片、15…ローラ、16…ローラ中心軸、17…ベアリング、21…規制板、21ａ…ローラ接触面、22…ガイド片、23…ブラケット、24…枢軸、25…引張スプリング。
【図１】
2008039097.tif 000003
【図２】
2008039097.tif 000004
【図３】
2008039097.tif 000005